(57)【要約】【課題】本体内の温度上昇を抑制することができる画像形成装置及び電子装置を提供する。【解決手段】画像形成装置１０は、画像形成装置本体１２と、画像形成装置本体１２内に設けられた画像形成部１５と、画像形成装置本体１２内から排出される空気が流れる第１の流路１００と、第１の流路１００から排出される空気の流れと干渉するように排出される空気が流れる第２の流路１０２と、第２の流路１０２を単位時間あたりに流れる空気の量を抑制するリブ１０４、１０６と、第１の流路１００を単位時間あたりに流れる空気の量を増加させる導風板８２とを有していて、第２の流路１０２から単位時間あたりに排出される空気の量が、第１の流路１００から単位時間あたりに排出される空気の量よりも小さくなるように調整されている。【選択図】図２
2008203390.tif 000002
【特許請求の範囲】
【請求項１】
画像形成装置本体と、
この画像形成装置本体内に設けられ、画像形成を行う画像形成部と、
前記画像形成装置本体内から排出される空気が流れる第１の流路と、
前記画像形成装置本体内から、前記第１の流路から排出される空気の流れと干渉するように排出される空気が流れる第２の流路と、
前記第２の流路を単位時間あたりに排出される空気の量が、前記第１の流路から単位時間あたりに排出される空気の量よりも少なくなるように、前記第１及び第２の流路の少なくもいずれか一方の流路を流れる空気の量を調整する調整手段と、
を有する画像形成装置。
【請求項２】
前記調整手段は、前記第１の流路を単位時間あたりに流れる空気の流量を増加させる増加部を有する請求項１記載の画像形成装置。
【請求項３】
前記調整手段は、前記第２の流路を単位時間あたりに流れる空気の流量を抑制する抑制部を有する請求項１又は２記載の画像形成装置。
【請求項４】
前記画像形成装置本体内で発熱する発熱部をさらに有し、
前記抑制部は、前記第２の流路の前記発熱部よりも下流側を流れる空気の流量を抑制する請求項３記載の画像形成装置。
【請求項５】
前記第１及び第２の流路へ空気を供給し、前記第１及び第２の流路内に空気の流れを発生させる発生装置をさらに有し、
前記第２の流路は、流路長が前記第１の流路よりも短い請求項１乃至４いずれか記載の画像形成装置。
【請求項６】
前記画像形成装置本体に、前記第１及び第２の流路の少なくとも一方から空気を排出するための排出口が形成されていて、
前記画像形成部により画像形成がなされた記録媒体を前記画像形成装置本体外へ排出する排出装置をさらに有し、
前記排出装置は、前記排出口を介して記録媒体を排出する請求項１乃至５いずれか記載の画像形成装置。
【請求項７】
前記第１及び第２の流路の少なくともいずれか一方は、連通部を介して外部と連通していて、前記連通部を介して外部から気流が流れ込む請求項１乃至６いずれか記載の画像形成装置。
【請求項８】
前記第１及び第２の流路の少なくともいずれか一方は、エアカーテンとして用いられる請求項１乃至７いずれか記載の画像形成装置。
【請求項９】
画像形成装置本体と、
この画像形成装置本体内に設けられ、画像形成を行う画像形成部と、
前記画像形成装置本体内に設けられ、前記画像形成装置本体に形成された同じ排出部を介して排出される空気が流れる第１及び第２の流路と、
前記第２の流路から単位時間あたりに排出される空気の量が、前記第１の流路から単位時間あたりに排出される空気の量よりも少なくなるように、前記第１及び第２の流路の少なくもいずれか一方の流路を流れる空気の量を調整する調整部と、
を有する画像形成装置。
【請求項１０】
装置本体と、
装置本体内から排出される空気が流れる第１の流路と、
前記装置本体内から、前記第１の流路から排出される空気の流れと干渉するように排出される空気が流れる第２の流路と、
前記第２の流路から単位時間あたりに排出される空気の量が、前記第１の流路から単位時間あたりに排出される空気の量よりも少なくなるように、前記第１及び第２の流路の少なくもいずれか一方の流路を流れる空気の量を調整する調整手段と、
を有する電子装置。
【請求項１１】
装置本体と、
前記装置本体内に設けられ、前記装置本体に形成された同じ排出部を介して排出される空気が流れる第１及び第２の流路と、
前記第２の流路から単位時間あたりに排出される空気の量が、前記第１の流路から単位時間あたりに排出される空気の量よりも少なくなるように、前記第１及び第２の流路の少なくもいずれか一方の流路を流れる空気の量を調整する調整部と、
を有する電子装置。
【発明の詳細な説明】
【技術分野】
【０００１】
本発明は、画像形成装置及び電子装置に関する。
【背景技術】
【０００２】
記録材の搬送路と、前記搬送路を搬送された記録材に像担持体に形成されたトナー画像を転写部で転写する画像形成手段と、前記搬送路から見て前記像担持体と同じ側に位置する発熱体である定着ローラに加圧ローラが加圧接触し、該ローラ対の加圧部を通過する記録材に転写された現像剤像を記録材に定着するための定着装置と、を有する画像形成装置において、前記定着装置と前記転写部との間に設けられ、前記搬送路を横切る通風経路を有し、前記通風経路は、画像非印字面側から画像印字面側へ向かう空気流が形成され、記録材が前記通風経路を横切っている際は、記録材の非印字面側に沿って前記定着装置内の前記加圧ローラ側に空気流が移動する画像形成装置が知られている（特許文献１）。
【０００３】
【特許文献１】特開２００３−２０２７６５号公報
【発明の開示】
【発明が解決しようとする課題】
【０００４】
本発明の目的は、本体内の温度上昇を抑制することができる画像形成装置及び電子装置を提供することにある。
【課題を解決するための手段】
【０００５】
本発明の第１の特徴とするところは、画像形成装置本体と、この画像形成装置本体内に設けられ、画像形成を行う画像形成部と、前記画像形成装置本体内から排出される空気が流れる第１の流路と、前記画像形成装置本体内から、前記第１の流路から排出される空気の流れと干渉するように排出される空気が流れる第２の流路と、前記第２の流路から単位時間あたりに排出される空気の量が、前記第１の流路から単位時間あたりに排出される空気の量よりも少なくなるように、前記第１及び第２の流路の少なくもいずれか一方の流路を流れる空気の量を調整する調整手段と、を有する画像形成装置にある。
【０００６】
好適には、前記調整手段は、前記第１の流路を単位時間あたりに流れる空気の流量を増加させる増加部を有する。
【０００７】
また、好適には、前記調整部は、前記第２の流路を単位時間あたりに流れる空気の流量を抑制する抑制部を有する。
【０００８】
また、好適には、前記画像形成装置本体内で発熱する発熱部をさらに有し、前記抑制部は、前記第２の流路の前記発熱部よりも下流側を流れる空気の流量を抑制する。
【０００９】
また、好適には、前記第１及び第２の流路へ空気を供給し、前記第１及び第２の流路内に空気の流れを発生させる発生装置をさらに有し、前記第２の流路は、流路長が前記第１の流路よりも短い。
【００１０】
また、好適には、前記画像形成装置本体に、前記第１及び第２の流路の少なくとも一方から空気を排出するための排出口が形成されていて、前記画像形成部により画像形成がなされた記録媒体を前記画像形成装置本体外へ排出する排出装置をさらに有し、前記排出装置は、前記排出口を介して記録媒体を排出する。
【００１１】
また、好適には、前記第１及び第２の流路の少なくともいずれか一方は、連通部を介して外部と連通していて、前記連通部を介して外部から気流が流れ込む。
【００１２】
また、好適には、前記第１及び第２の流路の少なくともいずれか一方は、エアカーテンとして用いられる。
【００１３】
また、本発明の第２の特徴とするところは、画像形成装置本体と、この画像形成装置本体内に設けられ、画像形成を行う画像形成部と、前記画像形成装置本体内に設けられ、前記画像形成装置本体に形成された同じ排出部を介して排出される空気が流れる第１及び第２の流路と、前記第２の流路から単位時間あたりに排出される空気の量が、前記第１の流路から単位時間あたりに排出される空気の量よりも少なくなるように、前記第１及び第２の流路の少なくもいずれか一方の流路を流れる空気の量を調整する調整部と、を有する画像形成装置にある。
【００１４】
また、本発明の第３の特徴とするところは、装置本体と、装置本体内から排出される空気が流れる第１の流路と、前記装置本体内から、前記第１の流路から排出される空気の流れと干渉するように排出される空気が流れる第２の流路と、前記第２の流路から単位時間あたりに排出される空気の量が、前記第１の流路から単位時間あたりに排出される空気の量よりも少なくなるように、前記第１及び第２の流路の少なくもいずれか一方の流路を流れる空気の量を調整する調整手段と、を有する電子装置にある。
【００１５】
また、本発明の第４の特徴とするところは、装置本体と、前記装置本体内に設けられ、前記装置本体に形成された同じ排出部を介して排出される空気が流れる第１及び第２の流路と、前記第２の流路から単位時間あたりに排出される空気の量が、前記第１の流路から単位時間あたりに排出される空気の量よりも少なくなるように、前記第１及び第２の流路の少なくもいずれか一方の流路を流れる空気の量を調整する調整部と、を有する電子装置にある。
【発明を実施するための最良の形態】
【００１６】
次に本発明の実施形態について図面に基づいて説明する。
図１には本発明の実施形態に係る画像形成装置１０が示されている。画像形成装置１０は、画像形成装置本体１２を有し、画像形成装置本体１２内に、給紙装置１４、画像形成部１５、発熱部の一つである電源ユニット３４、制御ユニット３６、及び定着装置３０が装着されているともに、記録媒体として用いられる用紙の搬送がなされる搬送路１９が形成されている。また、画像形成装置本体１２には排出口１３が形成され、画像形成装置本体１２の上部が、画像形成がなされた用紙が排出される排紙部１６として用いられている。また、画像形成装置本体１２には、発生装置として用いられる送風ファン１７が取り付けられている。
【００１７】
画像形成部１５は、像形成ユニットとして用いられる感光体ユニット２６、光書き込み装置５６、及び転写ユニット２８を有していて、用紙に現像剤像を形成するために用いられる。感光体ユニット２６は画像形成装置本体１２内に着脱可能に装着され、感光体ユニット本体３８を有する。感光体ユニット本体３８には、例えば４つのサブユニット５０が、例えば感光体ユニット本体３８に対して着脱することができるように設けられている。
【００１８】
サブユニット５０は、それぞれが像保持体として用いられる感光体４０を有し、感光体４０の周囲には、感光体４０を一様に帯電する帯電ロールを備え、帯電手段として用いられる帯電装置４２と、感光体４０に書き込まれた潜像を現像剤（トナー）で現像し、現像手段として用いられる現像装置４４と、現像剤像の転写がなされた後の感光体４０に光を照射して、感光体４０を除電する除電手段として用いられる除電装置４６と、転写がなされた後に感光体４０に残留する現像剤を除去し、現像剤除去手段として用いられるクリーニング装置４８とが、それぞれに設けられている。
【００１９】
４つのサブユニット５０は、重力方向下方であるシート搬送方向上流から、イエロー現像剤像形成用、マゼンタ現像剤像形成用、シアン現像剤像形成用、黒現像剤像形成用であって、感光体４０の表面に、イエロー現像剤像、マゼンタ現像剤像、シアン現像剤像、黒トナー象をそれぞれ形成する。
【００２０】
光書き込み装置５６は、それぞれがレーザ露光装置からなり、感光体ユニット２６の背面側にあって、それぞれが感光体４０に対応した位置に配置され、一様に帯電された感光体４０に対してレーザを照射して潜像を形成する。
【００２１】
転写ユニット２８は、感光体ユニット２６の前側（図1における右側）に位置し、感光体ユニット２６に対向するように配置されている。転写ユニット２８は、上下方向に並べられた２つの支持ロール５８、５８を有し、２つの支持ロール５８、５８に搬送ベルト６０が掛けられている。２つの支持ロール５８、５８の少なくともいずれか一方が、搬送ベルト６０に駆動を伝達する駆動ロールとして用いられ、この駆動ロールからの駆動伝達を受けて、搬送ベルト６０が回転駆動する。
【００２２】
また、転写ユニット２８は、感光体４０に対して、搬送ベルト６０を挟んで対向するように配置される４個の転写ロール６２を有している。転写ロール６２には、ぞれぞれに転写バイアスが印加され、この転写バイアスによって、感光体４０に形成された現像剤像を用紙へと転写する。
【００２３】
定着装置３０は、ヒータ等の熱源を備えた加熱ロール７０と、加熱ロール７０に圧接される加圧ロール７２とを有し、転写ロール６２によって用紙に転写された現像剤像を、加熱ロール７０と加圧ロール７２との接触部で加熱し、加圧することで用紙へと定着させる。
【００２４】
給紙装置１４は、用紙収容容器１８を有し、この用紙収容容器１８に用紙が積層されて収納されている。用紙収容容器１８の一端上部には、フィードロール２０が配置されているとともに、フィードロール２０に対向して捌きロール２２が設けられている。用紙収容容器１８の最上位にある用紙がフィードロール２０によりピックアップされ、フィードロール２０と裁きロール２２との協働により用紙が捌かれて搬送される。
【００２５】
搬送路１９は、用紙収容容器１８から排紙部１６まで至る用紙の通路であり、搬送路１９に沿って、用紙の搬送方向上流側である重力方向下方側から用紙搬送方向下流側である重力方向上方に向けて順に、フィードロール２０及び捌きロール２２、レジストロール２４、転写ユニット２８、定着装置３０、及び排出装置として用いられる排紙ロール３２が配置されている。レジストロール２４は、用紙の先端部を一旦停止させた後、感光体ユニット２６で現像剤像の形成がなされるタイミングと合わせて、用紙の下流側への搬送を開始する。排紙ロール３２は、定着装置３０より現像剤像の定着がなれた用紙を、排出口１３を介して排紙部１６へと排出するように搬送する。
【００２６】
以上のように構成された画像形成装置１０では、感光体４０が、帯電装置４２により一様に帯電され、一様に帯電されたた感光体４０に光書き込み装置５６により潜像が形成され、この潜像が現像装置４４によって現像剤を用いて可視像化される。感光体４０に形成された現像剤像は、転写ユニット２８の転写ロール６２によって、下方に位置する現像剤から順番に用紙へと転写される。そして、用紙に転写された現像剤像が定着装置３０によって用紙に定着される。
【００２７】
図２には、画像形成装置本体１２の上部の断面が拡大して示されている。画像形成装置本体１２内には、電源基板８０と、増加部として用いられる導風板８２と、制御基板８４とが設けられている。電源基板８０は、板金からなり、例えば画像形成装置本体１２に固定されるようにして、例えば略水平に取り付けられている。電源基板８０の上向きの面には、先述の電源ユニット３４が装着されているとともに、電源基板８０の後ろ側（図２における左側）の端部には、先述の送風ファン１７が、導風部として用いられる装着部材８６を介して装着されている。
【００２８】
電源基板８０の上方の位置には、空間Ｓ１が形成される。空間Ｓ１は、電源基板８０の上向きの面、画像形成装置本体１２の排紙部１６として用いられる部分の下向きの面、及び画像形成装置本体１２の左右の側板（不図示）によって囲まれるようにして形成される空間である。空間Ｓ１内には、電源ユニット３４からから生じた熱が滞留する虞がある。
【００２９】
導風板８２は、例えば画像形成装置本体１２によって重力方向下方から支えられるようにして、電源基板８０の下方に、電源基板８０の下向きの面と間に間隔が生じるように、電源基板８０と略水平になるように画像形成装置本体１２内に装着されている。このため、画像形成装置本体１２内に、画像形成装置本体１２の左右の側板（不図示）、導風板８２の上向きの面、及び電源基板８０の下向きの面で囲まれるように空間Ｓ２が形成される。導風板８２の後ろ側の縁部は、装着部材８６の前側の縁部と離間していて、導風板８２の後ろ側の縁部と装着部材８６の前側の縁部との間の隙間Ｇ１は、例えば５ｍｍとされている。導風板８２の詳細については後述する。
【００３０】
制御基板８４は、例えばプリント基板からなり、導風板８２の重力方向下方に略鉛直に設けられている。制御基板８４は、前側の面（図２における右側）が画像形成装置本体１２に貼り付けられるようにして画像形成装置本体１２内に装着されているとともに、制御基板８４の後ろ側の面には、発熱部のひとつである制御回路８８が取り付けられている。制御回路８８は、例えばＭＣＵ（Micro Controller Unit）からなり、画像形成部１５（図１参照）や給紙装置１４（図１参照）の制御を行い、制御を行う際に発熱する。先述の制御ユニット３６は、制御基板８４と制御回路８８からなる。
【００３１】
画像形成装置本体１２内における制御基板８４の後ろ側の位置には、空間Ｓ３が形成される。空間Ｓ２は、制御基板８４の後ろ側の面、画像形成装置本体１２の内側の面、及び画像形成装置本体１２の左右の側板（不図示）によって囲まれるようにして形成される空間であり、空間Ｓ２内に制御回路８８から生じた熱が滞留する虞がある。空間Ｓ２に熱が滞留すると、この熱が空間Ｓ２の前側に配置された画像形成部１５へと伝達されることがあり、画像形成部１５に熱が伝達されると、形成される画像の品質が低下する虞がある。この実施形態に係る画像形成装置１０では、空間Ｓ２に隣接するように、空間Ｓ２の前側に光着込み装置５６が配置されているため、特に光書き込み装置５６が熱による影響を受ける虞が大きい。
【００３２】
装着部材８６は、中空形状をしていて、後ろ側に開放部８６ａが、前側に開放部８６ｂ及び開放部８６ｃが形成されている。開放部８６ａには、送風ファン１７の枠体が嵌め込まれるようにして装着されている。開放部８６ｂは空間Ｓ１の方向を向くように、開放部８６ｃは空間Ｓ２の方向を向くように形成されている。このため、送風ファン１７が回転をすると、画像形成装置本体１２外から供給された空気が、装着部材８６の中空部及び開放部８６ｂを介して空間Ｓ１に送られるとともに、装着部材８６の中空部及び開放部８６ｃを介して空間Ｓ２に供給される。
【００３３】
また、画像形成装置本体１２内には、下部仕切り板９２と、上部仕切り板９４とが設けられている。下部仕切り板９２は、画像形成装置本体１２の内側の空間を、定着装置３０が設けられた上側の空間Ｓ４と画像形成部１５が設けられた下側の空間Ｓ５とに仕切る第１の仕切り部として用いられていて、例えば感光体ユニット本体３８の天板として兼用されている。下部仕切り板９２は、後ろ側の縁部が導風板８２の前側の縁部と接触するように、画像形成装置本体１２内で略水平方向となるように設けられている。
【００３４】
上部仕切り板９４は、画像形成装置本体１２の内側の空間を、定着装置３０が設けられた上側の空間Ｓ４と画像形成部１５が設けられた下側の空間Ｓ５とに仕切る第２の仕切り部として用いられていて、下側仕切り板９２の上側の面との間に間隔が生じ、下側仕切り板９２と略水平になるように設けられた板状の部材であり、例えば感光体ユニット本体３８の一部として設けられている。このため、画像形成装置本体１２の左右の側板（不図示）、下側仕切り板９２の上向きの面、及び上部仕切り板９４の下側の面で囲まれるように、画像形成装置本体１２内に空間Ｓ６が形成される。
【００３５】
また、画像形成装置本体１２内には、装着部材８６の開放部８６ｃから、空間Ｓ２、空間Ｓ６、空間Ｓ４における定着装置３０の前方、及び空間Ｓ４のおける定着装置３０の上方を経て排出口１３へと至る第１の流路１００が形成されている。第１の流路１００には、送風ファン１７によって供給され、画像形成装置本体１２内から排出口１３を経て排出される空気が流れる。
【００３６】
図２における矢印ａは、第１の流路１００中の空気の流れを示していて、この空気の流れによって、空間Ｓ４における定着装置３０の前方、及び空間Ｓ４における定着装置３０の上方の空気が画像形成装置本体１２外へと排出される。このため、空間Ｓ４における定着装置３０の前方、及び空間Ｓ４における定着装置３０の上方に、定着装置３０から発せられた熱が滞留しにくい。また、第１の流路１００を流れる空気は、空間Ｓ２、空間Ｓ６を流れる際に、空気の流れの上方及び下方を仕切るエアカーテンとして用いられ、空気の流れよりも上方に配置された電源ユニット３４及び定着装置３０によって熱せられた空気が、空気の流れよりも下方に移動しにくくなるようにしている。ここで、エアカーテンとは、空気の流れによって、流れる空気の一方側から他方側からへ空気が移動しにくくなるようにする空気の壁をいう。
【００３７】
また、画像形成装置本体１２内には、装着部材８６の開放部８６ｂから、空間Ｓ１及び空間Ｓ２を経て排出口１３へと至る第２の流路１０２が形成されている。第２の流路１０２には、第１の流路１００と同様に、送風ファン１７によって供給され、画像形成装置本体１２内から排出口１３を経て排出される空気が流れる。図２における矢印ｂは、第２の流路１０２中の空気の流れを示していて、この流れによって、空間Ｓ４の定着装置３０の前方の空気が画像形成装置本体１２外へと排出される。このため、空間Ｓ４の定着装置３０の前方の部分に定着装置３０から発せられた熱が滞留しにくい。また、第２の流路１０２は、装着部材８６から画像形成装置本体１２内を経て排出口１３に至る流路の長さが、第１の流路１００よりも短くなっている。
【００３８】
第１の流路１００からの空気と第２の流路からの空気は、同じ排出口１３を介して画像形成装置本体１２から排出されている。このため、第１の流路１００から排出される空気の流れと第２の流路１０２から排出される空気の流れは、排出口１３が設けられた位置、排出口１３の上流側の位置、及び排出口１３の下流側の位置の少なくともいずれか一箇所で干渉する。このため、第１及び第２の一方の気流が、他方の気流の排出の障害となり、他方の気流の画像形成装置本体１２からの排出が良好になされない虞がある。
【００３９】
この実施形態では、同じ排出口１３から第１及び第２の流路からの気流を排出することで２つの気流に干渉が生じているが、第１流路１００からの空気の排出と第２の流路１０２からの空気の排出を、それぞれで異なる排出口を介して行う場合であっても、２つの排出口の位置関係や、２つの排出口から空気が排出される空気の方向によって２つの気流間に干渉が生じることがある。
【００４０】
第２の流路１０２内には、調整部として用いられ、第１抑制部として用いられるリブ１０４と、調整部として用いられ、第２の抑制部として用いられるリブ１０６とが、画像形成装置本体１２の内側の面へと突出するようにして設けられている。リブ１０４、１０６の詳細については後述する。
【００４１】
図３及び４には、導風板８２が示されている。導風板８２の上向きの面８２ａには、面８２ａから上方に突出するようにして、例えば３個のリブ８３ａ、８３ｂ、８３ｃが、後方から前方に広がるように放射状に形成されている。先述のように、導風板８２の後ろ側の縁部と装着部材８６の前側の縁部との間の隙間Ｇ１は、例えば５ｍｍである。そして、リブ８３ａ、８３ｂ、８３ｃの後端部と装着部材８６の前側の縁部との間の隙間Ｇ２は、Ｇ１よりも広く、例えば１０ｍｍとなっている。ここで、隙間Ｇ２が広すぎると空気流が漏れ出しやすくなることから、隙間Ｇ２は１０ｍｍ以下とすることが望ましい。また、リブ８３ａの後端部と装着部材８６との幅方向の隙間Ｇ３と、リブ８３ｃの後端部と装着部材８６との幅方向の隙間Ｇ４とはともに４ｍｍとなっている。隙間Ｇ３、Ｇ４が広すぎると、空気流が漏れ出しやすくなることから、隙間Ｇ３、Ｇ４は５ｍｍ以下とすることが望ましい。
【００４２】
以上のように、リブ８３ａ、８３ｂ、８３ｃ及び導風板８２の後ろ側の縁部と、装着部材８６とに間にそれぞれ隙間が設けられているため、これらの隙間が連通部として用いられ、これらの連通部を介して第１の流路１００は、第１の流路１００の外部と連通した状態となっている。より具体的には、第１の流路１００は、空間Ｓ３（図２参照）と連通した状態となっている。
【００４３】
リブ８３ａ、８３ｂ、８３ｃが、後方から前方に広がるように放射状に形成されているため、送風ファン１７により第１の流路１００に供給された空気は、図４中に矢印で示すように、リブ８３ａ、８３ｂ、８３ｃの壁面に沿って、後方から前方へと広がるように移動する。この際、第１の流路１００内には、例えば送風ファン１７が空気を供給する量等に応じて定まる速度の空気流が発生する。このため、空気流が発生することによって、第１の流路１００内に負圧が生じ、第１の流路１００内の空気圧が、例えば空間Ｓ３等の第１の流路１００の外側と比較して低くなる。
【００４４】
図５及び６には、リブ１０４、リブ１０６が示されている。
リブ１０４は、画像形成装置本体１２の排紙部１６として用いられる部分の内側の面に、下側に向けて突出するように形成されている。リブ１０４は、例えば櫛歯形状をしていて、画像形成装置本体１２側の縁部と逆側の縁部である下側の縁部に、例えば一定の間隔で複数の切欠き１０４ａが形成されている。リブ１０４は、送風ファン１７によって第２の流路１０２内に供給された空気がリブ１０４よりも下流側に流れ込むことを抑制することで、第２の流路１０２のリブ１０４よりも下流側を流れる空気の流量を抑制する。
【００４５】
リブ１０６は、第２の流路１０２内の、気流方向においてリブ１０４よりも下流側に設けられていて、リブ１０４と同様に、画像形成装置本体１２の内側の面に、下側に向けて突出するように形成されている。リブ１０６は、例えば櫛歯形状をしていて、画像形成装置本体１２側の縁部と逆側の縁部である下側の縁部に、例えば一定の間隔で複数の切欠き１０６ａが形成されている。リブ１０６は、送風ファン１７によって第２の流路１０２内に供給された空気がリブ１０６よりも下流側に流れ込むことを抑制することで、第２の流路１０２のリブ１０６よりも下流側を流れる空気の流量を抑制する。
【００４６】
リブ１０４、１０６を櫛歯形状とすることに替えて、例えば、部分的に開口が形成された形状としても良い。また、櫛歯形状や部分的に開口が形成された形状とすることに替えて、切欠きを有しない形状としても良い。また、この実施形態では、リブ１０４、１０６と第２の流路を流れる空気の流量を抑制するためのリブを２つ設けているが、リブを１つとしても、リブを３個以上としても良い。
【００４７】
以上のように構成された画像形成装置１０では、送風ファン１７が回転して第１の流路１００及び第２の流路１０２に空気の供給をすると、第１の流路１００及び第２の流路１０２内に空気の流れが生じる。そして、第１の流路１００内の空気の流れによって、定着装置３０の前方及び上方の空気が画像形成装置本体１２外に排出されて、定着装置３０の前方及び上方に、定着装置３０によって熱せられた空気が滞留しにくくなる。  また、第２の流路１０２内の空気の流れによって、定着装置３０の後方に空気が画像形成装置本体１２外に排出されて、定着装置３０の後方に定着装置３０によって熱せられた空気が滞留しにくくなる。
【００４８】
また、画像形成装置１０では、第１の流路１００内を流れる空気がエアカーテンとして用いられ、定着装置３０によって加熱された空気と、電源ユニット３４によって加熱された空気とが、第１の流路１００よりも下側の画像形成部１５が設けられた側の空間Ｓ５へと移動しにくくなる。
【００４９】
また、画像形成装置１０では、第１の流路１００内に空気流が生じ、第１の流路１００内の気圧が空間Ｓ３内の気圧と比較して低くなるため、装着部材８６と、導風板８２及びリブ８３ａ、８３ｂ、８３ｃとの間の隙間を介して空間Ｓ３の空気が、第１の流路１００へと流れ込む。このため、制御回路８８によって熱せされた空気が、空間Ｓ３内に滞留しにくい。また、送風ファン１７を用いて空間Ｓ３に送風し、空間Ｓ３内での空気の滞留を防止する場合のように、例えば光書き込み装置５６等の画像形成部１５を構成する部材に風が到達し、画像形成部１５で形成される画像の品質低下を招くとの虞がなくなる。
【００５０】
また、画像形成装置１０では、導風板８２を設けることにより空間Ｓ２を狭くすることで、第１の流路１００内を単位時間あたりに流れる空気の流量を増加させるとともに、第２の流路内にリブ１０４、リブ１０６を設けて、単位時間あたりに第２の流路を流れる空気の流量を抑制している。このため、第２の流路１０２から排出口１３を介して排出される単位時間あたりの空気の量が、第１の流路１００から排出口１３を介して排出される単位時間あたりの空気の量よりも少なくなる。このため、排出口１３付近で、第１及び第２の流路から排出される空気の流れが互いに干渉するものの、第２の流路から排出される空気の流れが第１の流路からの空気の排出の障害となりにくく、第１の流路からの空気の排出が良好になされる。
【００５１】
また、画像形成装置１０では、第２の流路１０２内にリブ１０４、リブ１０６が設けられ、リブ１０４、１０６により第２の流路１０２内を単位時間あたりに流れる空気の量が抑制されるものの、リブ１０４、リブ１０６は、空気の流れる方向において、電源ユニット３４及び制御回路８８よりも下流側に設けられている。このため、流量が抑制される前の空気の流れが、電源ユニット３４によって熱せられた空気の移動を抑制するエアカーテンとして用いられるとともに、制御回路８８によって熱せられた空間Ｓ３内の空気の排出に用いられる。
【００５２】
図７には、本発明の実子形態に係る画像形成装置１０に用いられる導風板８２の第２の実施形態が示されている。先述の第１の実施形態では、導風板８２の後ろ側の縁部と、装着部材８６との間には前後方向の隙間Ｇ１が形成されていた。これに対してこの第２の実施形態では、導風板８２の後ろ側の縁部が、装着部材８６の前側の縁部よりも画像形成装置１０における後ろ側（図７における左側）にくるように配置され、導風板８２と装着部材８６とが前後方向で重なるように配置されている。また、前述の第２の実施形態では、リブ８３ａ、８３ｃの後端部と、装着部材８６の前側の縁部との間に隙間Ｇ２が形成されていた。これに対して、この第２の実施形態では、リブ８３ａ、８３ｃの後端部は、装着部材８６の前側の縁部よりも画像形成装置１０における後ろ側にくるように配置されている。
【００５３】
以上のように、導風板８２とリブ８３ａ、リブ８３ｃを配置することで、送風ファン１７から供給される空気が、第１の実施形態と比較して漏れ出しにくくなる。図７における矢印は、空間Ｓ３（図２参照）から、第１の流路１００に流れ込む空気の流れを示している。図７に示されるように、空間Ｓ３からの空気は、リブ８３ａ、リブ８３ｂの後端を回り込むようにして第１の流路１００に流れ込む。
【産業上の利用可能性】
【００５４】
以上述べたように、本発明は、複写機、ファクシミリ装置、プリンタ等の画像形成装置及び電子装置に適用することができる。
【図面の簡単な説明】
【００５５】
【図１】本発明の実施形態に係る画像形成装置の概略構成を示す側面図である。
【図２】本発明の実施形態に用いられる画像形成装置本体の上部を拡大して示す断面図である。
【図３】本発明の実施形態に用いられる導風板を示す斜視図である。
【図４】本発明の実施形態に用いられる導風板を示す平面図である。
【図５】図３におけるＡ−Ａ線断面を示し、本発明の実施形態に用いられる第１の抑制部を示す断面図である。
【図６】図３におけるＢ−Ｂ線断面図を示し、本発明の実施形態に用いられる第１及び第２の抑制部を示す断面図である。
【図７】本発明の実施形態に用いられる導風板の第２の実施形態を示す平面図である。
【符号の説明】
【００５６】
１０    画像形成装置
１２    画像形成装置本体
１３    排出口
１５    画像形成部
１７    送風ファン
３０    定着装置
３２    排紙ロール
３４    電源ユニット
３６    制御ユニット
７０    加熱ロール
８０    電源基板
８２    導風板
８６    装着部材
８６ａ  開放部
８６ｂ  開放部
８６ｃ  開放部
８８    制御回路
９２    下部仕切り板
９４    上部仕切り板
１００  第１の流路
１０２  第２の流路
１０４  リブ
１０６  リブ
【図１】
2008203390.tif 000003
【図２】
2008203390.tif 000004
【図３】
2008203390.tif 000005
【図４】
2008203390.tif 000006
【図５】
2008203390.tif 000007
【図６】
2008203390.tif 000008
【図７】
2008203390.tif 000009